(57)【要約】【課題】工場出荷前において主基板を遊技機本体へロックし、工場〜運送会社〜ホール設置の間において主基板の取り外しを困難にする。【解決手段】遊技に係る処理を行う主基板１００ａと、前記主基板を収納する基板ケース１００ｃ、１００ｄとを備える遊技機において、前記主基板に設けられ、遊技機本体側の主基板基部１２４と係合するロック機構ＬＳを備える。遊技機の電源オンに対応して前記ロック機構を速やかに前記ロック状態とし、前記遊技機の電源オフから一週間程度の長時間経過後に前記ロック解除状態とする。工場〜運送会社〜ホール設置の間において前記ロック状態にできる。【選択図】図７
2016007251.tif 000002
【特許請求の範囲】
【請求項１】
遊技に係る処理を行う基板と、前記基板を収納する基板ケースとを備える遊技機において、
前記遊技機の筐体に設けられ、前記基板ケースを受け入れる基板基部と、
前記基板に設けられ、前記基板基部と係合するロック機構と、
前記遊技機の電源を監視し、前記監視の結果に基づき前記ロック機構を制御するロック機構制御部とを備え、
前記ロック機構は、前記基板を前記基板基部と着脱不能に保持するロック状態、又は、前記基板を前記基板基部と着脱可能にするロック解除状態のいずれかの状態をとるものであり、
前記ロック機構制御部は、前記遊技機の電源オンに対応して前記ロック機構を前記ロック状態とし、前記遊技機の電源オフに対応して前記ロック機構を前記ロック解除状態とすることを特徴とする遊技機。
【請求項２】
前記遊技機の電源オンから前記ロック機構を前記ロック状態とするまでの時間Ｔ１は、前記遊技機の電源オフから前記ロック機構を前記ロック解除状態とするまでの時間Ｔ２よりも短く、
前記時間Ｔ１は、工場における前記遊技機の検査から出荷までの時間に対応して定められ、
前記時間Ｔ２は、前記遊技機の出荷からホールへの設置までの時間に対応して定められ、及び／又は、ホールの非営業時間に対応して定められていることを特徴とする請求項１記載の遊技機。
【請求項３】
前記ロック機構及び前記ロック機構制御部は、前記基板ケース内に設けられ、
前記ロック機構制御部は、前記遊技機の電源オフの時間を計時するタイマと、前記遊技機の電源とは独立した制御用電源とを備え、前記遊技機の電源オフの時間が連続して前記時間Ｔ２以上になったとき、前記ロック機構を前記ロック解除状態とすることを特徴とする請求項２記載の遊技機。
【請求項４】
前記ロック機構は、棒状部材であるプランジャを備え、前記プランジャを突出状態又は収納状態のどちらかに維持できるラッチング式ソレノイドであり、
前記ラッチング式ソレノイドは前記基板の前記基板基部とは反対の面に設けられ、
前記基板、前記基板ケース及び前記基板基部には、前記プランジャを受け入れる穴が設けられ、前記基板を前記基板基部に取り付けた状態でそれらの穴が連通し、
前記ロック機構制御部は、前記ロック状態とするときに前記プランジャを突出させるための吸引コイルを駆動し、
前記ロック解除状態とするときに前記プランジャを収納させるための復帰コイルを駆動することを特徴とする請求項３記載の遊技機。
【請求項５】
前記ロック機構は、雄ねじが設けられた棒状部材と、前記棒状部材を回転駆動する駆動部を備え、
前記基板及び前記基板ケースには、前記棒状部材を受け入れる穴が設けられ、前記基板基部には、前記雄ねじに対応する雌ねじが設けられ、前記基板を前記基板基部に取り付けた状態で前記穴及び雌ねじ連通し、
前記ロック機構制御部は、
前記ロック状態とするときに前記駆動部により前記棒状部材を回転させて前記雄ねじと前記雌ねじを螺合させ、
前記ロック解除状態とするときに前記駆動部により前記棒状部材を反対回転させることを特徴とする請求項３記載の遊技機。
【発明の詳細な説明】
【技術分野】
【０００１】
本発明は、遊技処理用の回路基板を収容する封印されたケースを備えるパチンコ機等の遊技機に関する。
【背景技術】
【０００２】
遊技機設置営業店などにおいて設置されている弾球遊技機（いわゆるパチンコ機）は、遊技球（遊技媒体とも呼ぶ）を用いて遊技を行うものである。借り受けた遊技球を弾球遊技機の遊技盤に設けられている盤面へ打ち出し、当該遊技球が予め定められた入賞口（入賞装置）に入るごとに所定数の遊技球を払い出すようになっている。払い出される遊技球は賞球と呼ばれる。
【０００３】
弾球遊技機の特定の入賞口に遊技球が受け入れられると電子的な抽選が行われる。多くの場合、当該抽選にはカウンタやレジスタ等のハードウエアで発生された乱数又はソフトウエアで実行されるカウンタで発生された乱数が使用される。
【０００４】
弾球遊技機は、電子的な抽選を含む遊技に関する処理を行うために、電気的な遊技制御の処理を行い主要な処理情報を生成する主制御装置（主基板）及び前記主制御装置にて生成した処理情報を得ることにより所定の出力態様処理をさせる制御を行う副制御装置を備える。
【０００５】
副制御装置は、遊技の状態に応じて興趣を高めるために演出に係る画像表示装置の制御及び効果音を発生するとともに、遊技の状態に応じて興趣を高めるために電飾を点滅させる。
【先行技術文献】
【特許文献】
【０００６】
【特許文献１】特開２０１２−１７９２９８号公報  カシメられた基板ケース内に収容された主基板を、本体に対して電気的に着脱可能に設けるとともに、装着部位に封印シールを貼付することなどにより、主基板に対する不正改造の痕跡を目視認識できるように構成した。
【発明の概要】
【発明が解決しようとする課題】
【０００７】
遊技機の主基板は、マイクロコンピュータを構成するＣＰＵ及びＲＯＭをはじめとするメモリ等を備えている。ＲＯＭには所定の遊技動作を行うためのプログラムが記憶されている。ＲＯＭの内容は遊技処理を規定するものであり、ＲＯＭあるいは主基板を交換して遊技を有利に進め利益を得ようとする不正行為が存在する。このような不正なＲＯＭや主基板の交換を避けるために、主基板をケースで覆うとともにこれを封印することが行われている。
【０００８】
主基板ケースはカシメられ、主基板は容易に取り出せないようになっているものの、遊技機本体と主基板は簡単に固定され、容易に取り外すことができる。このため、工場出荷、運送会社、ホール設置までの間に、主基板を不正な基板に交換される懸念があった。
【０００９】
先行技術文献１によれば、目視で不正行為の痕跡を認識できるものの、認識した時点では、既に不正行為が完了しており、不正行為そのものを事前に防止することは困難である。特に工場から納品先までの搬入経路において遊技機を一時的に倉庫に保管する場合、保管中の遊技機に対して不正改造を施すのは可能であり、主制御基板をケースごと脱着してのすり替え/プログラムの交換/コピーなどが施され、しかも偽造の封印紙に張り替えられるなど、その痕跡を確実に認識すること困難である。工場出荷、運送会社、ホール設置までの間における主基板の不正な交換に対する対策は、不十分であった。
【００１０】
本発明は上記課題を解決するためになされたもので、工場出荷前において主基板を遊技機本体へロックし、工場〜運送会社〜ホール設置の間において主基板の取り外しを困難にし、もって主基板に対する不正行為を防止することを目的とする。
【課題を解決するための手段】
【００１１】
この発明は、遊技に係る処理を行う基板と、前記基板を収納する基板ケースとを備える遊技機において、
前記遊技機の筐体に設けられ、前記基板ケースを受け入れる基板基部と、
前記基板に設けられ、前記基板基部と係合するロック機構と、
前記遊技機の電源を監視し、前記監視の結果に基づき前記ロック機構を制御するロック機構制御部とを備え、
前記ロック機構は、前記基板を前記基板基部と着脱不能に保持するロック状態、又は、前記基板を前記基板基部と着脱可能にするロック解除状態のいずれかの状態をとるものであり、
前記ロック機構制御部は、前記遊技機の電源オンに対応して前記ロック機構を前記ロック状態とし、前記遊技機の電源オフに対応して前記ロック機構を前記ロック解除状態とするものである。
【００１２】
前記遊技機の電源オンから前記ロック機構を前記ロック状態とするまでの時間Ｔ１は、前記遊技機の電源オフから前記ロック機構を前記ロック解除状態とするまでの時間Ｔ２よりも短く、
前記時間Ｔ１は、工場における前記遊技機の検査から出荷までの時間に対応して定められ、
前記時間Ｔ２は、前記遊技機の出荷からホールへの設置までの時間に対応して定められ、及び／又は、ホールの非営業時間に対応して定められている。
【００１３】
好ましくは、前記ロック機構及び前記ロック機構制御部は、前記基板ケース内に設けられ、
前記ロック機構制御部は、前記遊技機の電源オフの時間を計時するタイマと、前記遊技機の電源とは独立した制御用電源とを備え、前記遊技機の電源オフの時間が連続して前記時間Ｔ２以上になったとき、前記ロック機構を前記ロック解除状態とする。
【００１４】
例えば、前記ロック機構は、棒状部材であるプランジャを備え、前記プランジャを突出状態又は収納状態のどちらかに維持できるラッチング式ソレノイドであり、
前記ラッチング式ソレノイドは前記基板の前記基板基部とは反対の面に設けられ、
前記基板、前記基板ケース及び前記基板基部には、前記プランジャを受け入れる穴が設けられ、前記基板を前記基板基部に取り付けた状態でそれらの穴が連通し、
前記ロック機構制御部は、前記ロック状態とするときに前記プランジャを突出させるための吸引コイルを駆動し、
前記ロック解除状態とするときに前記プランジャを収納させるための復帰コイルを駆動する。
【００１５】
例えば、前記ロック機構は、雄ねじが設けられた棒状部材と、前記棒状部材を回転駆動する駆動部を備え、
前記基板及び前記基板ケースには、前記棒状部材を受け入れる穴が設けられ、前記基板基部には、前記雄ねじに対応する雌ねじが設けられ、前記基板を前記基板基部に取り付けた状態で前記穴及び雌ねじ連通し、
前記ロック機構制御部は、
前記ロック状態とするときに前記駆動部により前記棒状部材を回転させて前記雄ねじと前記雌ねじを螺合させ、
前記ロック解除状態とするときに前記駆動部により前記棒状部材を反対回転させる。
【発明の効果】
【００１６】
この発明によれば、遊技機の電源オンに対応して前記ロック機構を前記ロック状態とし、前記遊技機の電源オフに対応して前記ロック機構を前記ロック解除状態とするので、工場出荷の際に基板を遊技機本体へロックし、電源オフから充分に時間の経過したのちにロックを解除できる。これにより、電源オフから充分に時間が経過するまでの間、基板に対する不正行為を防止することができる。
【００１７】
また、この発明によれば、前記時間Ｔ２は、前記遊技機の出荷からホールへの設置までの時間に対応して定められ、及び／又は、ホールの非営業時間に対応して定められているので、工場〜運送会社〜ホール設置の間において基板の取り外しを困難でき、及び／又は、遊技機が電源オフであるホールの継続した非営業時間（例えば設備改装、年末年始休暇など）において基板の取り外しを困難にし、不正行為を防止することができる。
【００１８】
また、この発明によれば、前記ロック機構及び前記ロック機構制御部が封印された前記基板ケース内に設けられ、前記ロック機構制御部は前記遊技機の電源とは独立した制御用電源とを備えているので、遊技機の電源オンオフにかかわらず動作でき、しかも前記ロック機構及び前記ロック機構制御部に対する外部からの干渉を困難とし、基板に対する不正行為をより確実に防止できる。
【００１９】
また、この発明によれば、電力を消費せずにロック状態を維持できるラッチング式ソレノイドを用いているので、前記ロック機構及び前記ロック機構制御部に対して外部から電力を供給することなく動作可能であり、外部からの干渉を排除できる。
【００２０】
また、この発明によれば、ねじを用いてロックしているので、ロック時の基板の取り外しを困難にできる。
【図面の簡単な説明】
【００２１】
【図１】遊技機の表面構造を示す斜視図である。
【図２】遊技機の前扉を開けた状態の斜視図である。
【図３】遊技機の裏面構造を示す背面図である。
【図４】発明の実施の形態に係る主制御装置の分解斜視図である。
【図５】発明の実施の形態に係る主制御装置を遊技機に取り付ける手順の説明図（平面図）である。
【図６】発明の実施の形態に係る遊技機に取り付けた状態の主制御装置の説明図（平面図）である。
【図７】図６のＡ−Ａ矢視断面図である。
【図８】発明の実施の形態に係るラッチング式ソレノイドの動作の説明図（断面図）である。
【図９】発明の実施の形態に係るロック機構制御基板とラッチング式ソレノイドの電気接続を示すブロック図である。
【発明を実施するための形態】
【００２２】
遊技機１の構造概略について図１、図２及び図３を参照して説明を加える。
【００２３】
まず、図１及び図２を参照して本発明の実施の形態に係る遊技機の外部的構造につき説明する。
【００２４】
外枠５０は、遊技機設置営業店に設けられた設置場所（島設備など）へと固定させるための縦長方形状からなる木製の枠部材である。
【００２５】
本体部材５１は、外枠５０の内部に備えられ、ヒンジ部５１ａを介して外枠５０に回動自在に装着された縦長方形状の遊技機基軸体となる部材である。この本体部材５１は、枠状に形成されその内側に空間部を有している。
【００２６】
開口枠扉５２は、遊技機の前面側となる前記本体部材５１の前面に、ロック機能付きで且つ開閉自在となるように装着され、枠状に構成されることでその内側を開口部とした扉部材である。
【００２７】
なお、開口枠扉５２の開口部にガラス製又は樹脂製からなる透明板部材が設けられ、開口部近傍及びその内部に電飾５２ａ、スピーカ５２ｂ、などが取り付けられている。
【００２８】
遊技盤１０は、本体部材５１の空間部に臨むように、本体部材５１に所定の固定部材を用いて着脱自在に装着されている。遊技盤１０の本体部材５１への装着後は、その遊技領域を前記開口部より観察することができる。
【００２９】
球受皿付き扉５３は、遊技機前面において本体部材５１の下部に、ロック機能付きで且つ開閉自在となるように装着され、遊技球を貯留する球受皿を少なくとも備えた扉部材である。なお、本実施の形態における球受皿付き扉５３には、以下の部材が取り付けられている。
（1）複数の遊技球が貯留可能で且つ図示しない発射駆動装置へと遊技球を案内させる通路が設けられた球受皿５３ａ。
（2）該貯留され発射駆動装置へと案内された遊技球を前記遊技盤１０の盤面１１に設けられた遊技領域へと打出す操作を行う回動式操作ハンドル４８ｂ。
（3）ブリペイドカード読込み処理関係及び借り受ける遊技球の貸出し処理関係の指示をするボタンを備えた球貸し関係の操作部５３ｂ。
（4）球受皿に貯留させた遊技球を遊技球収集容器（俗称、ドル箱）へと排出解除するための球受皿用の貯留球排出操作ボタン５３ｃ。
(5)画面に表示された選択肢の選択を行うために遊技者が操作するジョグダイヤルＪＤ。
【００３０】
次に、図３を参照して本発明の実施の形態に係る遊技機の内部的構成を説明する。
【００３１】
１００は、前述したように、本体部材５１若しくは遊技盤１０又はこれらに備え付けられる支持部材などを介して設けられ、電気的な遊技制御の処理を行い主要な処理情報を生成する主制御装置（主基板）である。
【００３２】
２００は、前記本体部材５１若しくは遊技盤１０又はこれらに備え付けられる支持部材などを介して設けられ、前記主制御装置１００にて生成した処理情報を得ることにより所定の出力態様処理をさせる制御を行う副制御装置である。
【００３３】
１１０は、賞球の払い出し制御を行う払出制御装置である。
【００３４】
図４は、発明の実施の形態に係る主制御装置１００の分解斜視図である。
【００３５】
主制御装置１００は、基板ケースを構成する基板ケース上蓋１００ｃ及び基板ケース下蓋１００ｄと、基板ケースに収納される主基板１００ａ及びロック機構制御基板１００ｂとを備える。主基板１００ａは遊技に係る処理を行うものであり、ロック機構制御基板１００ｂはラッチング式ソレノイド（ロック機構）ＬＳを制御するものである。ロック機構制御基板１００ｂの動作については後にさらに説明を加える。
【００３６】
少なくとも基板ケース上蓋１００ｃは透過性を有しており、これを取り付けた後であっても外部から主基板１００ａ及びロック機構制御基板１００ｂを見ることが可能である。
【００３７】
基板ケース上蓋１００ｃが基板ケース下蓋１００ｄに取り付けられると、それらを取り外すときは一定の痕跡が残るようになっている。このため、主基板１００ａを対象とした不正行為（電気部品の取り替え、回路の改ざん等）があったとしても、その不正行為を当該痕跡の有無によって、迅速に認識することができる。
【００３８】
１００ｈは、基板ケース下蓋１００ｄに設けられ、ラッチング式ソレノイド（ロック機構）ＬＳの棒状部材（プランジャ、後述）が通るロック用基板ケース下蓋穴である。
【００３９】
１０１ａは、基板ケース上蓋１００ｃの右端に設けられ、基板ケース下蓋１００ｄの突起を受けこれと係合する部材であるとともに、遊技機の本体部材５１への取付手段でもある基板ケース上蓋固定突起である。
【００４０】
１０１ｂは、基板ケース上蓋固定突起１０１ａと係合する基板ケース下蓋固定突起である。
【００４１】
１０２ａは上蓋ケースカシメ、１０２ｂは下蓋ケースカシメであり、これらは基板ケース上蓋１００ｃが基板ケース下蓋１００ｄと容易に分離しないように結合するカシメ１０２を構成する。
【００４２】
１０３は、基板ケース上蓋１００ｃの上下側面に設けられるスライドピンである。スライドピン１０３は容易に突出させることができるが、一度突出させると収納させることは困難なように構成されている。
【００４３】
ＬＳは、公知のラッチング式ソレノイド（ロック機構）である。ラッチング式ソレノイドＬＳは、従来のオープンフレームソレノイドに永久磁石を組み合わせ、コイルに瞬時の通電でプランジャが吸引し、吸引後は永久磁石により吸着保持させることにより、この間の通電を不要にした省エネタイプの直進型ソレノイドである。一方のコイルに通電するとプランジャが対応する一方に吸引され、その状態で保持される。他方のコイルに通電するとプランジャが他方に吸引され、その状態で保持される。ラッチング式ソレノイドＬＳは、消費電力を減らしバッテリーの寿命を長くするときや、発熱を少なくしたい場合等に有用である。
【００４４】
図５は、発明の実施の形態に係る主制御装置１００を遊技機に取り付ける手順の説明図（平面図）である。
【００４５】
この図の主制御装置１００は、主基板１００ａ及びロック機構制御基板（ロック機構制御部）１００ｂを、基板ケース上蓋１００ｃ及び基板ケース下蓋１００ｄで覆い、封印した状態を示し、ハーネスと接続されるコネクタの部分以外、透明ケースで覆われている。ラッチング式ソレノイドＬＳも同様に覆われている。
【００４６】
１２０は、本体部材５１に設けられ、主制御装置１００を受け入れる主制御装置取付ベース（主基板基部）である。
【００４７】
１２１は、基板ケース固定突起１０１を受け入れる主制御装置係合部である。
【００４８】
１２２は、主制御装置係合部１２１と反対側の主制御装置１００の端を主制御装置取付ベース１２０に固定する主制御装置固定フックである。
【００４９】
１２３は、突出されたスライドピン１３０を受け入れるスライドピン挿入部である。
【００５０】
１２４は、主制御装置１００のラッチング式ソレノイドＬＳの作用部を受け入れ、主制御装置１００を容易に取り外せないように遊技機の本体部材５１に固定するための主制御装置係止部材（板金）である。
【００５１】
１２４ｈは、主制御装置係止部材１２４に設けられるソレノイドプランジャー挿入口（係止穴）である。
【００５２】
図５の矢印に示すように、主制御装置１００を、主制御装置取付ベース１２０上を横にスライドさせつつ差し込むと、基板ケース固定突起１０１が主制御装置係合部１２１に係合し、主制御装置固定フック１２２が作用する。さらに、スライドピン１０３を突出させてスライドピン挿入部１２３へ嵌入させる。
【００５３】
なお、図５の状態では、ラッチング式ソレノイド（ロック機構）ＬＳは作用しておらず（後述のプランジャＬＳＰが突出していない）、主制御装置１００を主制御装置取付ベース１２０に容易に設置することができる。
【００５４】
図６は、発明の実施の形態に係る遊技機に取り付けた状態の主制御装置１００の説明図（平面図）である。
【００５５】
この状態において、基板ケース固定突起１０１、スライドピン１０３及び主制御装置固定フック１２２により、主制御装置１００が主制御装置取付ベース１２０に取り付けられているが、カシメとともに封印シールの施された基板ケースに比べて、主制御装置１００を主制御装置取付ベース１２０から取り外すことは比較的容易である。そこで、ラッチング式ソレノイドＬＳを作用させて、主基板１００ａを主制御装置取付ベース１２０の主制御装置係止部材１２４にしっかりと係合させ、容易に取り外せないようにする。
【００５６】
図７は、図６のＡ−Ａ矢視断面図である。この図ではラッチング式ソレノイドＬＳが作用している。
【００５７】
ラッチング式ソレノイドＬＳは主基板１００ａの面であって、主制御装置取付ベース１２０とは反対の面に設けられている。主基板１００ａにはラッチング式ソレノイドＬＳのプランジャＬＳＰが貫通する穴が設けられている。主制御装置１００を主制御装置取付ベース１２０に取り付けた状態で、主基板１００ａの穴、基板ケース下蓋１００ｄの穴１００ｈ、及び、主制御装置係止部材１２４の係止穴１２４ｈが連通している。ここにラッチング式ソレノイドＬＳのプランジャＬＳＰが嵌入する。
【００５８】
これにより、主制御装置１００を横にずらせなくなり、主制御装置取付ベース１２０から取り外すことができなくなる。主制御装置係合部１２１と主制御装置固定フック１２２が主制御装置１００をしっかり保持しているので、主制御装置１００を横にずらさない限り主制御装置１００は取り外せない。すなわち、ラッチング式ソレノイドＬＳのプランジャＬＳＰが突出している限り主制御装置１００は取り外せない。
【００５９】
図８はラッチング式ソレノイドＬＳの動作説明図である。
【００６０】
ＬＳＣ１は、プランジャＬＳＰを突出させるための吸引コイル（ロック用）である。このコイルに電流を流すとプランジャＬＳＰが突出する。
【００６１】
ＬＳＣ２は、プランジャＬＳＰを収納させるための復帰コイル（解除用）である。このコイルに電流を流すとプランジャＬＳＰが収納される。
【００６２】
ＬＳＭは、プランジャＬＳＰを吸着しその状態を保持するための永久磁石（ロック保持用）である。
【００６３】
ラッチング式ソレノイドＬＳは、初期状態でプランジャＬＳＰが収納されている（図８（ａ））。
【００６４】
吸引コイルＬＳＣ１に電流を流すことによりプランジャＬＳＰが突出し、主基板１００ａがロックされる（図８（ｂ））。永久磁石ＬＳＭにより、この状態が保持される（図８（ｃ））。
【００６５】
復帰コイルＬＳＣ２に電流を流すことによりプランジャＬＳＰが内部に収納され、ロックが解除される（図８（ｄ））。永久磁石ＬＳＭにより、この状態が保持される。
【００６６】
図８（ａ）（ｄ）の状態において、主制御装置１００を取り外すことができる。図８（ｂ）（ｃ）の状態では取り外しは困難である。
【００６７】
図９は、発明の実施の形態に係るロック機構制御基板１００ｂとラッチング式ソレノイドＬＳの電気接続を示すブロック図である。
【００６８】
ＰＬは、主基板１００ａとロック機構制御基板１００ｂを結ぶ電源線である。この電源線ＰＬは、例えば＋５ＶのラインとＧＮＤラインを含む。
【００６９】
ＰＭは、主基板１００ａの電源の状態、すなわち遊技機が電源オンか電源オフかを判断する電源監視回路である。例えば、電源線ＰＬの＋５Ｖのラインに所定値以上の電圧（４．５Ｖ以上）が存在するとき電源オンと判断し、所定値以下の電圧（１Ｖ以下）であるとき電源オフと判断する。
【００７０】
ＰＳは、ロック機構制御基板１００ｂに内蔵される電源である。電源ＰＳは遊技機の電源とは独立している。電源ＰＳは、遊技機の＋５Ｖで充電される二次電池であってもよい。
【００７１】
ＴＭは、電源監視回路ＰＭの出力に基づき計時を行い、遊技機の電源オン・電源オフに対応してラッチング式ソレノイド（ロック機構）ＬＳをロック状態又はロック解除状態のいずれかにセットするタイマ回路である。
【００７２】
タイマ回路ＴＭは、遊技機の電源オンを契機に計時を開始し、計時が予め定められた時間Ｔ１を超えたときに吸引コイルＬＳＣ１に電流を流してラッチング式ソレノイドＬＳをロック状態にする第１タイマ回路ＴＭ１と、遊技機の電源オフを契機に計時を開始し、計時が予め定められた時間Ｔ２を超えたときに復帰コイルＬＳＣ２に電流を流してラッチング式ソレノイドＬＳをロック解除状態にする第２タイマ回路ＴＭ２とを備える。
【００７３】
タイマ回路ＴＭにより、ロック機構制御基板１００ｂは次のように動作する。
【００７４】
一度も電源オンとされたことのないとき（組立中あるいは組み立て直後で電源オンにされたことがないとき）、ロック機構制御基板１００ｂは動作せず、ラッチング式ソレノイドＬＳはロック解除状態である（図５、図８（ａ））。
【００７５】
遊技機の最初の電源オン（工場における検査）でロック機構制御基板１００ｂは動作を開始する。電源オンで計時を開始し、時間Ｔ１（例えば１０秒）を超えたときにラッチング式ソレノイドＬＳをロック状態にする（図７、図８（ｂ））。そして、これを維持する（図８（ｃ））。以降、電源オンの度に同じ動作を繰り返す。
【００７６】
電源オフで計時を開始し、時間Ｔ２（例えば一週間＝７日間＝１６８時間）を超えたときにラッチング式ソレノイドＬＳをロック解除状態にする（図８（ｄ））。一週間という長時間電源オフの状態にあるのは、遊技機の出荷からホールへの設置までの期間、及び／又は、設備入替、内外装など改装工事、連休など、ホールの長期休業期間のほかにないから、これらの期間における主基板１００ａの交換を防止するという目的を達成することができる。また、ロック中に正規作業者が電源を投入し、その直後に電断すれば、ホールの継続的な非営業時間が時間Ｔ２を越えた場合であっても、それに応じて所望ロック時間を時間Ｔ２単位で延長することができる。
【００７７】
ロック状態とするまでの時間Ｔ１は、遊技機の電源オフからロック解除状態とするまでの時間Ｔ２よりも短い。
【００７８】
例えば、時間Ｔ１は、工場における遊技機の検査から出荷までの時間に対応して定められる。検査のための電源オンから検査終了までの間にロック状態とできればよいから、時間Ｔ１は検査に要する時間程度にすることもできる。１０秒程度の短い時間であれば、検査終了までには確実にロック状態にできる。
【００７９】
例えば、時間Ｔ２は、遊技機の出荷からホールへの設置までの時間に対応して定められる（例えば一週間＝７日間＝１６８時間、あるいはこれ以上の時間）。このような長い時間とすることで、製造者から出荷搬送され、倉庫の一時的な遊技機保管中はロック状態とでき、この期間において主制御装置１００を不正に取り外すことを防止できる。
【００８０】
及び／又は、時間Ｔ２は、ホールの非営業時間に対応して定められる。この間は遊技機の電源はオフのままであるが、ホールの継続した非営業時間（例えば設備改装、年末年始休暇など）中において基板の取り外しを困難にし、不正行為を防止することができる
【００８１】
発明の実施の形態によれば、工場にて最終出荷検査終了後、ロック機構が動作することにより、主制御装置を遊技機本体にロックした状態にて出荷し、工場〜運送会社〜ホール設置までの間において主制御装置の取り外しを困難にし、基板やＲＯＭの交換などの不正を防止することができる。また、ホール設置後においても、メーカーの意図しない主基板の交換を防止することができる。たとえ、ロックされた状態で無理に外そうとしてもケースや主基板が壊れるなどして痕跡が残る。
【００８２】
他方、製造者などが保守、再利用などを目的として、基板ケースを遊技機あるいは遊技盤ごと回収した場合においては、時間Ｔ２の経過を待つことによりロックを解除できる。これにより、基板に対する不正行為を防止しつつ、保守作業あるいは基板の再利用処理に支障のないようにできる。なお、ロック中に正規作業者が電源をオンにし、その直後に電源をオフにすれば、ホールの継続的な非営業時間が時間Ｔ２を越えた場合であっても、それに応じて所望ロック時間を時間Ｔ２単位で延長することができる。
【００８３】
発明の実施の形態によれば、ラッチング式ソレノイド（ロック機構）及びロック機構制御基板を、封印された基板ケース内に設けるとともに、ロック機構制御基板は遊技機の電源とは独立した制御用電源とを備えているので、ラッチング式ソレノイド（ロック機構）及びロック機構制御基板は遊技機の電源オンオフにかかわらず動作でき、しかもロック機構及びロック機構制御基板に対する外部からの干渉を困難とし、主基板に対する不正行為をより確実に防止できる。
【００８４】
上述のように、遊技機の主基板１００ａを保守、あるいは、再利用する場合、製造者が電源オフにされた遊技機あるいは遊技盤１０を回収し、製造者管理の下で電源オフから時間Ｔ２の経過を待ち、ロック解除状態に移行してから保守作業あるいは再利用作業を実施できるので、作業に支障を来すことはない。
【００８５】
発明の実施の形態によれば、電力を消費せずにロック状態を維持できるラッチング式ソレノイドを用いているので、ロック機構及びロック機構制御基板に対して外部から電力を供給することなく動作可能であり、外部からの干渉を排除できる。
【００８６】
なお、ロック機構は主基板を遊技機本体から取り外せないようにできる機構であればよく、上記例に限定されない。例えば、プランジャにリンク機構を適用したロック機構であってもよい。
【００８７】
他の形態として、例えば、ねじを利用するロック機構がある。具体的には、ロック機構は、雄ねじが設けられた棒状部材と、棒状部材を回転駆動する駆動部を備えるものであり、主基板及び基板ケースには、棒状部材を受け入れる穴が設けられ、主基板基部（主制御装置取付ベース）には、雄ねじに対応する雌ねじが設けられている。主基板を主基板基部に取り付けた状態で穴及び雌ねじ連通している。ロック機構制御部は、ロック状態とするときに駆動部により棒状部材を回転させて雄ねじと雌ねじを螺合させ、ロック解除状態とするときに駆動部により棒状部材を反対回転させる。
【００８８】
本発明は、以上の実施の形態に限定されることなく、特許請求の範囲に記載された発明の範囲内で、種々の変更が可能であり、それらも本発明の範囲内に包含されるものであることは言うまでもない。
【００８９】
上記説明において、もっぱら主制御装置を例にとり説明を加えたが、副制御装置のような他の基板／装置にも適用することができる。
【符号の説明】
【００９０】
５１    本体部材
１００    主制御装置（制御装置）
１００ａ  主基板
１００ｂ  ロック機構制御基板（ロック機構制御部）
１００ｃ  基板ケース上蓋
１００ｄ  基板ケース下蓋
１００ｈ  ロック用基板ケース下蓋穴
１０１    基板ケース固定突起
１０１ａ  基板ケース上蓋固定突起
１０１ｂ  基板ケース下蓋固定突起
１０２    ケースカシメ
１０２ａ  上蓋ケースカシメ
１０２ｂ  下蓋ケースカシメ
１０３    スライドピン
１２０    主制御装置取付ベース（主基板基部、基板基部）
１２１    主制御装置係合部
１２２    主制御装置固定フック
１２３    スライドピン挿入部
１２４    主制御装置係止部材（板金）
１２４ｈ  ソレノイドプランジャー挿入口（係止穴）
ＬＳ      ラッチング式ソレノイド（ロック機構）
ＬＳＣ１  吸引コイル（ロック用）
ＬＳＣ２  復帰コイル（解除用）
ＬＳＭ    永久磁石（ロック保持用）
ＬＳＰ    プランジャ
ＰＬ      主基板−ロック機構制御基板間電源線
ＰＭ      電源監視回路
ＰＳ      ロック機構制御基板内蔵電源
ＴＭ      タイマ回路
ＴＭ１    第１タイマ回路
ＴＭ２    第２タイマ回路
【図１】
2016007251.tif 000003
【図２】
2016007251.tif 000004
【図３】
2016007251.tif 000005
【図４】
2016007251.tif 000006
【図５】
2016007251.tif 000007
【図６】
2016007251.tif 000008
【図７】
2016007251.tif 000009
【図８】
2016007251.tif 000010
【図９】
2016007251.tif 000011